(57)【要約】【課題】  粘着ロールにおける使用済粘着シートを剥離容易にすること。【解決手段】  多層の粘着シート２１を積層し、各１層分の粘着シート２１をロール軸方向の一端側から他端側まで続く１枚物とし、該ロール軸に斜めに交差する斜め巻き方向に沿って斜め巻きし、該斜め巻きした粘着シート２１の側縁部３１、３２の間に隙間３３を形成した清掃用粘着ロール２０であって、上下各層の粘着シート２１の色を互いに異ならせるもの。【選択図】  図３
2006116087.tif 000002
【特許請求の範囲】
【請求項１】
多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成した清掃用粘着ロールであって、
上下各層の粘着シートの色を互いに異なるものとした清掃用粘着ロール。
【請求項２】
多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成した清掃用粘着ロールであって、
粘着シートの側縁部に色付ラインを設け、該色付ラインが該シートの幅方向に向かうぼかしを有する清掃用粘着ロール。
【請求項３】
多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成した清掃用粘着ロールであって、
粘着シートの概ね中央部に色付ラインを設け、該色付ラインが該シートの両側縁部に向かうぼかしを有し、
上層の粘着シートの側縁部が下層の粘着シートの色付ラインの濃色部に沿うように積層される清掃用粘着ロール。
【請求項４】
多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成した清掃用粘着ロールであって、
前記下層の粘着シートにおける、上層の粘着シートの側縁部の間に形成された隙間に露出する部分を非粘着部にする清掃用粘着ロール。
【請求項５】
前記粘着シートにおける非粘着部を、粘着シートの表面における略中央部に設けた請求項４記載の清掃用粘着ロール。
【請求項６】
前記粘着シートにおける表面の側縁部に非粘着部を設け、下層の粘着シートにおける表面の略中央部に設けられた非粘着部に、上層の粘着シートの少なくとも一方の側縁部を重ねた請求項５に記載の清掃用粘着ロール。
【発明の詳細な説明】
【技術分野】
【０００１】
本発明は清掃用粘着ロールに関する。
【背景技術】
【０００２】
清掃用粘着ロール１として、図１０（Ａ）に示す如く、多層の粘着シート２（図１０（Ｂ））を積層し、各１層分の粘着シート２をロール軸方向の一端側から他端側まで続く１枚物とし、該ロール軸に斜めに交差する斜め巻き方向に沿って斜め巻きし、該斜め巻きした粘着シート２の側縁部の間に隙間４を形成したものがある（特許文献１）。最上層の粘着シート２を使用済の都度、剥離して除去するものである。粘着シート２の側縁部の間に隙間４を形成したことは、隙間４を形成しない場合に、多層をなす粘着シート２の側縁部同士が互いに重なってロール表面に斜め状段差部を生じ、巻き作業性が悪化することに対する対策である。
【０００３】
また、特許文献１の粘着ロール１では、図１０に示す如く、粘着シート２の側縁部に色付ライン５を設け、色付ライン５の外側縁部の一端側に剥離すべき粘着シート２の剥離開始端となる鋭角状の色付尖鋭端５Ａを表示可能にしている。即ち、上層の粘着シート２の色付尖鋭端５Ａが、隙間４において露出している下層の粘着シート２の白地に対して浮き上がっていて目視し易く、剥離開始端が探し易くなる。
【特許文献１】特開2003-135365
【発明の開示】
【発明が解決しようとする課題】
【０００４】
特許文献１の粘着ロール１の粘着シート２では、図１０（Ｂ）に示す如く、色付ライン５の他端側の当該粘着シート２自身の白地に接する境界部に、鋭角状の色付尖鋭端５Ｂを表示してしまう。粘着ロール１に斜め巻きされた図１０（Ａ）の状態で、粘着シート２の色付尖鋭端５Ｂは、白地に連続していって剥離不可にもかかわらず、粘着シート２の剥離開始端たる色付尖鋭端５Ａと誤認され易い。このため、粘着ロール１における粘着シート２の剥離開始端がわかりにくいという不都合がある。
【０００５】
本発明の課題は、粘着ロールにおける使用済粘着シートを剥離容易にすることにある。
【課題を解決するための手段】
【０００６】
請求項１の発明は、多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成する清掃用粘着ロールであって、上下各層の粘着シートの色を互いに異ならせるようにしたものである。
【０００７】
請求項２の発明は、多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成する清掃用粘着ロールであって、粘着シートの側縁部に色付ラインを設け、該色付ラインが該シートの幅方向に向かうぼかしを有するようにしたものである。
【０００８】
請求項３の発明は、多層の粘着シートを積層し、各１層分の粘着シートをロール軸方向の一端側から他端側まで続く１枚物とし、該ロール軸に斜めに交差する斜め巻き方向に沿って斜め巻きし、該斜め巻きした粘着シートの側縁部の間に隙間を形成する清掃用粘着ロールであって、粘着シートの概ね中央部に色付ラインを設け、該色付ラインが該シートの両側縁部に向かうぼかしを有し、上層の粘着シートの側縁部が下層の粘着シートの色付ラインの濃色部に沿うように積層されるようにしたものである。
【０００９】
請求項４の発明は、多層の粘着シートを積層し、各１層分の粘着シートをロール軸方向の一端側から他端側まで続く１枚物とし、該ロール軸の斜めに交差する斜め巻き方向に沿って斜め巻きし、該斜め巻きした粘着シートの側縁部の間に隙間を形成する清掃用粘着ロールであって、下層の粘着シートにおける、上層の粘着シートの側縁部の間に形成された隙間に露出する部分が非粘着部になるように、粘着シートに非粘着部を形成して積層されたものである。
【発明を実施するための最良の形態】
【００１０】
（実施例１）（図１〜図４）
清掃具１０は、床面上のゴミ、例えば大粒、小粒の粒ゴミ、又はカーペット等の繊維に絡み付いた髪の毛等のゴミを捕集するものであり、図１に示す如く、柄１１の先端部に支持アーム１２を結合し、支持アーム１２にフレーム１３を前後方向に揺動自在に支持している。
【００１１】
フレーム１３の清掃方向に沿う前部には可撓掻き上げ体１４が回動自在に支持され、フレーム１３の清掃方向に沿う後部には接触回転体１５が回動自在に支持され、掻き上げ体１４と接触回転体１５は平行に並べられて配置される。
【００１２】
掻き上げ体１４は、回転軸１４Ａと、回転軸１４Ａの軸方向の全長に渡って植設されたブラシからなる掻き上げ部１４Ｂと、回転軸１４Ａの両端部に結合された両側の増速タイヤ１４Ｃ（変速タイヤ）からなる。掻き上げ部１４Ｂは粘着ロール２０に接触しても、接触しなくても良い。両側のタイヤ１４Ｃは該タイヤ１４Ｃにゴミがかみ込まないようにフレーム１３の両外側に配置されるが、フレーム１３の内側に設けても良い。
【００１３】
接触回転体１５は、粘着ロール２０のための駆動手段であり、回転軸１５Ａと、回転軸１５Ａの軸方向の両端側２位置（軸方向３位置等の複数位置でも可）に固定される円盤状の回転子１５Ｂと、回転軸１５Ａの両端部に結合された両側の増速タイヤ１５Ｃ（変速タイヤ）からなる。回転子１５Ｂは粘着ロール２０に接触する。両側のタイヤ１５Ｃはフレーム１３の両外側に配置される。
【００１４】
掻き上げ体１４の掻き上げ部１４Ｂと接触回転体１５の回転子１５Ｂの上には、それらに跨がる粘着ロール２０（ゴミ捕集手段）が乗せられて載置され、粘着ロール２０は掻き上げ体１４と接触回転体１５の回転に連れ回る。粘着ロール２０はフレーム１３に設けてあるロール支持手段２０Ａを介して着脱可能に支持される。粘着ロール２０は、粘着シート２１の巻取りロールの構成からなる。
【００１５】
フレーム１３における掻き上げ体１４の掻き上げ部１４Ｂの後部には塵取部１６（ゴミ捕集手段）が支持されている。塵取部１６は、フレーム１３に着脱可能にされ、接触回転体１５の回転子１５Ｂの下方の前後に渡る範囲に延在されて透明材料からなるトレイ状のゴミ受け部１６Ａと、ゴミ受け部１６Ａの前縁に設けられて掻き上げ体１４の掻き上げ部１４Ｂの全巾に沿って隙間なく（隙間を介して）相対する後方に向けて上り勾配をなす平面状（又は曲面状）のすくい面部１６Ｂを有する。塵取部１６は、すくい面部１６Ｂ〜床面部１６Ｃの最下端部を床面に隙間なく接し、掻き上げ体１４の掻き上げ部１４Ｂが掻き上げるゴミを床面に沿う後方に逃がすことなく、その全てのゴミをすくい面部１６Ｂにより粘着ロール２０の側にガイドし、大きなゴミはすくい面部１６Ｂに後続するゴミ受け部１６Ａに送り込む。
【００１６】
清掃具１０による清掃動作は以下の通りなされる。
(1)柄１１の軸方向に加える操作力によりフレーム１３を介して掻き上げ体１４のタイヤ１４Ｃ及び接触回転体１５のタイヤ１５Ｃを床面に加圧しながら清掃具１０を前進させ、掻き上げ体１４及び接触回転体１５を回動させ、同時に粘着ロール２０を連れ回り回転させる。
【００１７】
(2)掻き上げ体１４の掻き上げ部１４Ｂが床面上のゴミを掻き上げると、このゴミは塵取部１６のすくい面部１６Ｂにガイドされて粘着ロール２０の側に送り出され、粘着ロール２０の粘着面に吸着捕捉される。大きなゴミはすくい面部１６Ｂからゴミ受け部１６Ａに送り込まれて捕捉される。
【００１８】
(3)粘着ロール２０の粘着面の全周に多量のゴミが捕捉されたことが視認されたら、フレーム１３に設けた窓１３Ａを開いて粘着ロール２０を取出し、粘着シート２１の１周分を剥離除去し、新規粘着面を露出せしめられた粘着ロール２０をフレーム１３のロール支持手段２０Ａに再取付けする。
【００１９】
(4)塵取部１６のゴミ受け部１６Ａに多量のゴミがたまったことを視認したら、塵取部１６をフレーム１３から外し、ゴミ受け部１６Ａのゴミを廃棄し、塵取部１６をフレーム１３に再取付けする。
【００２０】
以下、粘着ロール２０の構成について説明する。
粘着ロール２０は、図３に示す如く、多層をなす粘着シート２１（２１Ａ、２１Ｂ…）をコア２２の外周に積層し、各１層分の粘着シート２１を粘着面が外側に向く状態で、ロール軸方向の一端側から他端側まで続く１枚物とし、該ロール軸に斜めに交差する斜め巻き方向に沿って斜め巻きされる。
【００２１】
粘着ロール２０の粘着シート２１は、紙シートを支持体として剥離層（例えば、シリコン層）を備える基材と粘着剤層を備えて構成されても良いが、好ましくは図３（Ｃ）に示す如く、紙シートと延伸性プラスチックフィルムと剥離層（例えば、シリコン層）をその順に重ねて基材Ａを構成し、紙シートの表面に粘着剤層Ｂを設けた。基材Ａは、粘着シート２１の斜め巻き方向に沿う方向に、紙シートの目の方向（抄紙進み方向）と延伸性プラスチックフィルムの延伸方向を合致させ、その斜め巻き方向に交差する方向での紙シートと延伸性プラスチックフィルムの耐引き裂き性を高くした。延伸性プラスチックフィルムとしては、延伸性ポリプロピレン（ＯＰＰ）やナイロン等を採用できる。シリコン層は、相積層される粘着シート２１同士の剥離性を確保する。尚、粘着シート２１における基材上の粘着剤塗布量は、25〜50ｇ／ｍ2が好ましく、より好ましくは、25〜35ｇ／ｍ2である。
【００２２】
粘着ロール２０は、図３に示す如く、粘着シート２１の巻き作業性の向上のために、斜め巻きした粘着シート２１の側縁部３１、３２の間に隙間３３を形成する。
【００２３】
粘着ロール２０は、図３に示す如く、粘着シート２１の剥離開始端を識別容易にするため、上下各層の粘着シート２１の色を互いに異ならせる。例えば、多層をなす粘着シート２１のうち、コア２２の側から奇数枚目の粘着シート２１Ａを白色、偶数枚目の粘着シート２１Ｂを緑色にする。上層の白色の粘着シート２１Ａの側縁部３１、３２の間の隙間３３に、下層の緑色の粘着シート２１Ｂが露出して見える（図３（Ａ））。上層の白色の粘着シート２１Ａを剥離すると、下層の緑色の粘着シート２１Ｂの全部が表われ、粘着シート２１Ｂの側縁部３１、３２の間の隙間３３に、その下層の白色の粘着シート２１Ａが露出して見える（図３（Ｂ））。
【００２４】
粘着ロール２０は、上下層の粘着シート２１を、コア２２の周方向に互いに位相をずらして斜め巻きをするものが好ましい。このとき、下層の粘着シート２１の剥離端と上層の粘着シート２１の剥離端が、重ならないものとなるが、好適には、下層の粘着シート２１の剥離端が、上層の粘着シート２１の側縁部３１、３２の間の隙間３３に露出しないようにする。更に、粘着ロール２０は、上下層の粘着シート２１を、コア２２の周方向に互いに概ね半周分ずつ位相をずらして斜め巻きするものが好ましい。このとき、下層の粘着シート２１の概ね中央部（粘着シート２１の側縁部３１、３２に直交する巾方向の概ね中央部）が、上層の粘着シート２１の側縁部３１、３２の間の隙間３３に露出するものになる。
【００２５】
粘着ロール２０は、下層の粘着シート２１における、上層の粘着シート２１の側縁部３１、３２の間に形成された隙間３３に露出する部分３４を非粘着部とするものが好ましい。尚、非粘着部は、下層の粘着シート２１における隙間３３に露出する部分３４よりも広い幅で設けることもできる。
【００２６】
粘着ロール２０は、粘着シート２１の表面における側縁部３１、３２に非粘着部を設けることもできる。
【００２７】
本実施例の粘着ロール２０によれば、以下の作用効果を奏する。
(a)粘着シート２１は、図３に示す如く、一方の側縁部３１の一端側に剥離開始端になり得る鋭角状の尖鋭端３１Ａを備えるとともに、他方の側縁部３２の他端側に同じく剥離開始端になり得る鋭角状の尖鋭端３２Ａを備える。上層の粘着シート２１が色違いの下層の粘着シート２１の上に斜め巻きされた状態では、上層の粘着シート２１の２つの尖鋭端３１Ａ、３２Ａが、図４に示す如く、上層の粘着シート２１の側縁部３１、３２の間の隙間３３において露出している下層の粘着シート２１の色地に対して浮き上がっていて目視し易い。２つの尖鋭端３１Ａ、３２Ａのいずれをも剥離開始端として用いることができ、剥離開始端が探し易くなる。
【００２８】
(b)下層の粘着シート２１における、上層の粘着シート２１の側縁部３１、３２の間に形成された隙間３３に露出する部分を非粘着部３４とすることにより、上層の粘着シート２１の剥離開始端たる尖鋭端３１Ａ、３２Ａは、下層の粘着シート２１の非粘着部３４の上に沿って積層されていて、一層剥離容易になる。また、下層の粘着シート２１の非粘着部３４は、上層の粘着シート２１の側縁部３１、３２の間から露出されていてもゴミ付着がないから、上層の粘着シート２１を剥離したときに下層の粘着シート２１に汚れラインを生じない。
【００２９】
尚、粘着ロール２０に斜め巻きされる上下各層の粘着シート２１は、それらの長手方向（側縁部３１、３２に沿う方向）の少なくとも一端部又は両端部の色を互いに異ならせるものであれば良い。
【００３０】
(c)上下層の粘着シート２１を、コア２２の周方向に互いに位相をずらして斜め巻きをしたから、上下層の粘着シート２１の剥離端が重ならないものとなり、上層の粘着シート２１の剥離端を手がかりとして粘着シート２１を剥離するときに、下層の粘着シート２１を一緒に剥離しにくいものとなる。
【００３１】
尚、下層の粘着シート２１の側縁部を非粘着部とすると、上層の粘着シート２１の裏面と、下層の粘着シート２１の側縁部の非粘着部とは粘着しないから、上層の粘着シート２１を剥離するときに、下層の粘着シート２１が一緒に剥離しにくいものとなる。
【００３２】
（実施例２）（図５、図６）
実施例２の粘着ロール２０は、図５に示す如く、実施例１の粘着ロール２０と同様に、斜め巻きした粘着シート２１の側縁部３１、３２の間に隙間３３を形成する。
【００３３】
粘着ロール２０は、図５に示す如く、粘着シート２１の剥離開始端を識別容易にするため、粘着シート２１の両側縁部３１、３２のそれぞれに色付ライン４０、５０を設け、色付ライン４０、５０が該粘着シート２１の幅方向（各色付ライン４０、５０に対する粘着シート２１の白地側）に向かうぼかしを有する。色付ライン４０、５０の外側縁部は濃色部４１、５１、色付ライン４０、５０における粘着シート２１自身の白地（白地の色は色付ライン４０、５０と異なる色であれば、白色であることを必要としない）に接する境界部は淡色部４２、５２になる。
【００３４】
粘着ロール２０は、上下層の粘着シート２１を、コア２２の周方向に互いに位相をずらして斜め巻きをするものが好ましい。このとき、下層の粘着シート２１の剥離端と上層の粘着シート２１の剥離端が、重ならないものとなる。更には、概ね半周分ずつ位相をずらして斜め巻きするものが好ましい。このとき、下層の粘着シート２１の概ね中央部（粘着シート２１の側縁部３１、３２に直交する巾方向の概ね中央部）が、上層の粘着シート２１の側縁部３１、３２の間の隙間３３に露出するものになる。
【００３５】
粘着ロール２０は、下層の粘着シート２１における、上層の粘着シート２１の側縁部３１、３２の間に形成された隙間３３に露出する部分３４を非粘着部３４とするものが好ましい。尚、非粘着部は、下層の粘着シート２１における隙間３３に露出する部分３４よりも広い幅で設けることもできる。
【００３６】
本実施例の粘着ロール２０によれば以下の作用効果を奏する。
(a)粘着シート２１は、図５に示す如く、一方の側縁部３１に設けた色付ライン４０の外側縁部（濃色部４１）の一端部に、剥離開始端になり得る濃色鋭角状の濃色尖鋭端４１Ａを備えるとともに、他方の側縁部３２に設けた濃色ライン５０の外側縁部（濃色部５１）の他端側に、剥離開始端になり得る濃色鋭角状の濃色尖鋭端５１Ａを備える。上層の粘着シート２１が下層の粘着シート２１の上に斜め巻きされた状態では、上層の粘着シート２１の２つの尖鋭端４１Ａ、５１Ａが、図６に示す如く、上層の粘着シート２１の側縁部３１、３２の間の隙間３３において露出している下層の粘着シート２１の白地に対して浮き上がっていて目視し易い。２つの尖鋭端４１Ａ、５１Ａのいずれをも剥離開始端として用いることができ、剥離開始端が探し易くなる。
【００３７】
粘着シート２１の側縁部３１、３２に設けた色付ライン４０、５０の濃色尖鋭端４１Ａ、５１Ａに対する反対端側で、当該粘着シート２１自身の白地に接する境界部（淡色部４２、５２）に表示される淡色鋭角状の尖鋭端４２Ａ、５２Ａは、色付ライン４０、５０のぼかしの故に淡色尖鋭端４２Ａ、５２Ａとして視認され、剥離開始端たる上述の濃色尖鋭端４１Ａ、５１Ａと明確に識別される。
【００３８】
(b)下層の粘着シート２１における、上層の粘着シート２１の側縁部３１、３２の間に形成された隙間３３に露出する部分を非粘着部３４とすることにより、上層の粘着シート２１の剥離開始端たる尖鋭端４１Ａ、５１Ａは、下層の粘着シート２１の非粘着部３４の上に沿って積層されていて、一層剥離容易になる。また、下層の粘着シート２１の非粘着部３４は、上層の粘着シート２１の側縁部３１、３２の間から露出されていてもゴミ付着がないから、上層の粘着シート２１を剥離したときに下層の粘着シート２１に汚れラインを生じない。
【００３９】
尚、粘着ロール２０に斜め巻きされる上下各層の粘着シート２１は、それらの長手方向（側縁部３１、３２に沿う方向）の少なくとも一端部又は両端部に色付ライン４０、５０を設けるものであれば良い。
【００４０】
尚、粘着ロール２０は、一方の側縁部３１にだけ上述の色付ライン４０を設けるものでも良い。
【００４１】
（実施例３）（図７、図８）
実施例３の粘着ロール２０は、図７に示す如く、実施例１の粘着ロール２０と同様に、斜め巻きした粘着シート２１の側縁部３１、３２の間に隙間３３を形成する。
【００４２】
粘着ロール２０は、図８に示す如く、粘着シート２１の剥離開始端を識別容易にするため、粘着シート２１の概ね中央部（粘着シート２１の側縁部３１、３２に直交する巾方向中央部）（真中央部でなくても可）に色付ライン６０を設け、色付ライン６０が該粘着シート２１の両側（両側縁部３１、３２の側）に向かうぼかしを有する。色付ライン６０は濃色部６１の両側を淡色部６２にする。
【００４３】
粘着ロール２０は、上下層の粘着シート２１を、コア２２の周方向に互いに位相をずらして斜め巻きをするものが好ましい。このとき、下層の粘着シート２１の剥離端と上層の粘着シート２１の剥離端が、重ならないものとなる。更には、概ね半周分ずつ位相をずらして斜め巻きするものが好ましい。このとき、下層の粘着シート２１の概ね中央部の色付ライン６０の濃色部６１が、上層の粘着シート２１の側縁部３１、３２の間の隙間３３に露出するものになる。換言すれば、上層の粘着シート２１の側縁部３１、３２が下層の粘着シート２１の色付ライン６０の濃色部６１に沿うように積層される。
【００４４】
粘着ロール２０は、下層の粘着シート２１における、上層の粘着シート２１の側縁部３１、３２の間に形成された隙間３３に露出する部分３４（色付ライン６０の濃色部６１）を非粘着部とするのが好ましい。尚、非粘着部は、下層の粘着シート２１における隙間３３に露出する部分３４よりも広い幅で設けることもできる。
【００４５】
本実施例の粘着ロール２０によれば以下の作用効果を奏する。
(a)粘着シート２１は、図７に示す如く、一方の側縁部３１の一端側に剥離開始端になり得る鋭角状の尖鋭端３１Ａを備えるとともに、他方の側縁部３２の他端側に同じく剥離開始端になり得る鋭角状の尖鋭端３２Ａを備える。上層の粘着シート２１が下層の粘着シート２１の上に斜め巻きされた状態では、上層の粘着シート２１の２つの尖鋭端３１Ａ、３２Ａが、図８に示す如く、当該側縁部３１、３２の間の隙間３３において露出している下層の粘着シート２１の色付ライン６０の濃色部６１に沿っていて浮き上がり、目視し易い。２つの尖鋭端３１Ａ、３２Ａのいずれをも剥離開始端として用いることができ、剥離開始端が探し易くなる。
【００４６】
上層の粘着シート２１には、当該粘着シート２１に設けた色付ライン６０の全部が表われ、色付ライン６０の両端側に淡色鋭角状の尖鋭端６２Ａが表われるが、この尖鋭端６２Ａは色付ライン６０のぼかしの故に淡色尖鋭端６２Ａとして視認され、剥離開始端たる上述の尖鋭端３１Ａ、３２Ａと明確に識別される。
【００４７】
(b)下層の粘着シート２１における、上層の粘着シート２１の側縁部３１、３２の間に形成された隙間３３に露出する部分を非粘着部３４とすることにより、上層の粘着シート２１の剥離開始端たる尖鋭端３１Ａ、３２Ａは、下層の粘着シート２１の非粘着部３４の上に沿って積層されていて、一層剥離容易になる。また、下層の粘着シート２１の非粘着部３４は、上層の粘着シート２１の側縁部３１、３２の間から露出されていてもゴミ付着がないから、上層の粘着シート２１を剥離したときに下層の粘着シート２１に汚れラインを生じない。
【００４８】
尚、粘着ロール２０に斜め巻きされる上下各層の粘着シート２１は、それらの長手方向（側縁部３１、３２に沿う方向）の少なくとも一端部又は両端部に色付ライン６０を設けるものであれば良い。
【００４９】
本発明において、掻き上げ体は、ブラシに限らず、スポンジ、ゴムブレード、エラストマー、弾性突起体等でも良い。
【００５０】
また、本発明において、接触回転体は、ロール体に限らず、タイヤ等でも良い。
【００５１】
また、本発明において、床面とは、畳、フローリング、カーペット等で、特にカーペットに対し顕著で特有な効果を奏する。
【００５２】
また、本発明において、前述の粘着ロール２０は、図９の清掃具７０に用いることもできる。清掃具７０は、ハンドル７１に設けた支軸７２に、粘着ロール２０のコア２２の両端内周部に設けた軸受２２Ａを回転自在に挿着したものである。ハンドル７１をもって粘着ロール２０を床面上に転接することにより、床面上のゴミを粘着ロール２０の表層の粘着シート２１に直接的に粘着捕捉できる。
【図面の簡単な説明】
【００５３】
【図１】図１は清掃具を示す模式図である。
【図２】図２は清掃具の着脱状態を示す模式図である。
【図３】図３は実施例１の粘着ロールを示す模式図である。
【図４】図４は実施例１の粘着シート剥離開始端を示す模式図である。
【図５】図５は実施例２の粘着ロールを示す模式図である。
【図６】図６は実施例２の粘着シート剥離開始端を示す模式図である。
【図７】図７は実施例３の粘着ロールを示す模式図である。
【図８】図８は実施例３の粘着シート剥離開始端を示す模式図である。
【図９】図９は清掃具の変形例を示す模式図である。
【図１０】図１０は従来例の粘着ロールを示す模式図である。
【符号の説明】
【００５４】
２０  粘着ロール
２１  粘着シート
３１、３２  側縁部
３１Ａ、３２Ａ  尖鋭端
３３  隙間
３４  非粘着部
４０、５０  色付ライン
４１、５１  濃色部
４１Ａ、５１Ａ  尖鋭端
６０  色付ライン
６１  濃色部
【図１】
2006116087.tif 000003
【図２】
2006116087.tif 000004
【図３】
2006116087.tif 000005
【図４】
2006116087.tif 000006
【図５】
2006116087.tif 000007
【図６】
2006116087.tif 000008
【図７】
2006116087.tif 000009
【図８】
2006116087.tif 000010
【図９】
2006116087.tif 000011
【図１０】
2006116087.tif 000012